(57)【要約】【課題】悪意のある偽造貨の排除性能を向上するとともに、通常運用での正常貨の受付性能の低下を防ぐ。【解決手段】投入された硬貨を搬送する搬送部と、搬送部により搬送される硬貨が正常貨か、偽造貨かを識別する識別部と、取引毎に、識別部によって識別される硬貨の識別結果を記憶する記憶手段と、記憶手段に記憶された当取引における識別結果の正常貨の割合を計算し、かつ硬貨の識別枚数が所定値以上であるかを判断する制御部と、を有し、算出した正常貨の割合が所定値以下で、かつ硬貨の識別枚数が所定値以上であると判断した場合、投入された全ての硬貨の受付けを拒否するように制御する。【選択図】図２
2008134924.tif 000002
【特許請求の範囲】
【請求項１】
少なくとも受け入れる硬貨を処理する硬貨処理装置において、投入された硬貨を搬送する搬送部と、該搬送部により搬送される硬貨が正常貨か、偽造貨かを識別する識別部と、取引毎に該識別部によって識別される硬貨の識別結果を記憶する記憶手段と、該記憶手段に記憶された当該取引における識別結果の正常貨の割合を計算し、かつ硬貨の識別枚数が所定値以上であるかを判断する制御部と、を有し、該制御部は、算出した該正常貨の割合が所定値以下で、かつ硬貨の識別枚数が所定値以上であると判断した場合、投入された全ての硬貨の受付けを拒否するように制御することを特徴とする硬貨処理装置。
【請求項２】
該取引における識別結果による正常貨の割合が所定値以上で、または識別枚数が所定値以下である場合、該識別結果が正常貨であれば、投入された全ての硬貨を受け付け、一方該識別結果が偽造貨であれば、投入された全ての硬貨の受付を拒否することを特徴とする請求項１の硬貨処理装置。
【発明の詳細な説明】
【技術分野】
【０００１】
本発明は、硬貨処理装置に係り、特に、硬貨処理装置における偽造硬貨（単に偽造貨という）の対策に関する。
【背景技術】
【０００２】
一般的に、入金機や計数機等の硬貨処理装置に搭載させる硬貨識別ユニットは、磁気的又は光学的若しくは両者のセンサ出力や硬貨の読み取り画像を用いて、硬貨の直径、材質、穴、ギザ、色、厚み、模様、凹凸などの特徴を識別要素として検出し、これらの検出情報に基づいて金種や真偽の判定を行って硬貨を識別している。そして、硬貨の真偽の判定は、例えばセンサ出力があらかじめ設定された正常貨の判定域の枠内にあるか否かによって行っている。
【０００３】
偽造貨は大量に投入されて使用される可能性があるので、紙幣に比べて単価は低額であっても総損害額は甚大となることがある。これに対処するための硬貨の識別方式として、例えば、特開２０００−３４８２３２号公報（特許文献１）に示されたものがある。これは、正常貨か否かを判定するための判定粋を固定とせずに可変とし、偽造貨と判定したときに正常貨の判定粋を自動的に狭くすることによって、その後に投入される偽造貨の通過率を低減させるようにしている。そして、その後、正常貨を所定枚数連続して受け付けたときに上記判定粋を自動的に元に戻すようにしている。
【０００４】
また、他の硬貨識別方式としては、特開２００３−２５６９０２号公報（特許文献２）に示されたものがある。この硬貨識別方式も、判定粋を可変としていることは上記技術と同様であるが、判定粋の変更条件として、硬貨の取引において過去の種々な識別詳細情報を利用している点が異なる。具体的には、金種数、通過率、硬貨の特徴量バラツキ等の情報をもとに判定粋を変更することによって、その後に投入される正常貨の受付性能と偽造貨の排除性能を向上させるようにしている。
【０００５】
また、５００円硬貨に似た偽造貨を自動販売機に投入した後に商品購入中止の操作をして、貯留されている正常貨の返金を詐取するといった無販売投入返金による被害が発生している。これに対処するための硬貨識別方式としては、特開２００１−１７５９３５号公報（特許文献３）に示されるように、販売を伴わない硬貨の投入と返金（無販売投入返金）が継続して行われる都度、５００円硬貨の最大受入枚数を順次少なくするように段階的に切替えることで、その後に投入される両替詐欺による被害を抑止する。
【０００６】
【特許文献１】特開２０００−３４８２３２号公報
【特許文献２】特開２００３−２５６９０２号公報
【特許文献３】特開２００１−１７５９３５号公報
【発明の開示】
【発明が解決しようとする課題】
【０００７】
上記従来技術によれば、任意量の偽造貨が投入された場合、判定粋を狭くすることによって、あるいは最大受入枚数を少なくすることによって、その後に投入される偽造貨の排除性能を向上させている。しかしながら、任意量の偽造貨が投入されるまでは、判定粋や最大受入枚数は変わらず、偽造貨を受け付けてしまう、という恐れがある。
【０００８】
本発明の目的は、偽造貨の排除性能を向上するとともに、通常運用での正常貨の受付性能の低下を防ぐことが可能な硬貨処理装置を提供することにある。
【課題を解決するための手段】
【０００９】
この目的を達成するために、本発明に係る硬貨処理装置は、少なくとも受け入れる硬貨を処理する硬貨処理装置において、投入された硬貨を搬送する搬送部と、搬送部により搬送される硬貨が正常貨か、偽造貨かを識別する識別部と、取引毎に識別部によって識別される硬貨の識別結果を記憶する記憶手段と、記憶手段に記憶された当取引における識別結果の正常貨の割合を計算し、かつ硬貨の識別枚数が所定値以上であるかを判断する制御部と、を有し、制御部は、算出した正常貨の割合が所定値以下で、かつ硬貨の識別枚数が所定値以上であると判断した場合、投入された全ての硬貨の受付けを拒否するように制御するように構成したものである。
【発明の効果】
【００１０】
本発明によれば、偽造貨の排除性能を向上するとともに、通常運用での正常貨の受付性能の低下を防ぐことが可能な硬貨処理装置を提供することができる。
【発明を実施するための最良の形態】
【００１１】
以下、図面を参照して、本発明の一実施形態について説明する。本実施形態は、一回の取引において多量の硬貨を一括して受け入れることが可能で、金種毎の枚数の計数若しくは入金処理を行う機能を有する一括投入型硬貨処理装置に適用した例である。
【００１２】
図１は、本実施形態に関わる硬貨処理装置の外観側面図であり、図２は硬貨処理装置の内部制御ブロック図である。
これらの図において、入出金口１０３は、入金される硬貨を一時的にセットすると共に、出金或いは返却される硬貨が放出される。一時保留部１０４は、識別部１０７で正常貨であると識別された硬貨を一時的に保留する。返却保留部１０５は、識別部１０７で偽造貨であると識別された硬貨を一時的に保留する。収納部１０６は、取引成立時に入金された正常貨を金種別に収納する。
識別部１０７は、入金される硬貨の真偽および金種を識別するとともに、出金される硬貨の金種を識別する。硬貨の直径、材質、穴、ギザ、色、厚み、模様、凹凸などの特徴を識別要素として検出し、これらの検出情報に基づいて金種や真偽の判定を識別する手段を有している。
【００１３】
一括スタッカ部１１２は、識別された後の硬貨を金種に関係なく収納する。収納部１０６への硬貨の収納がオーバーフローした場合、その後の硬貨をこの一括スタッカ部１１２に収納する。硬貨カセット部１１３は、硬貨処理装置１０１に対して着脱可能な機構となっており、硬貨の補充及び回収を行う機構部である。搬送部１０８は、制御部１０２の指示に従って、上記各部に硬貨を搬送する。搬送部１０８はまた、投入された硬貨を一枚ずつ分離搬送する機構を有している。
【００１４】
制御部１０２は、ＣＰＵやメモリ１０２１等のハードウェアと、ＣＰＵで実行されるプログラム、及びデータ等のソフトウェアから成り、各種処理、取引を制御する。またメモリ１０２１には、識別した硬貨の枚数をカウントするカウンタＡ、及び識別した結果、正常貨と判定した硬貨の枚数をカウントするカウンタＢが構成されている。取引毎に識別部１０７による各硬貨の識別結果を受け取ってこれらのカウンタに記憶する。
【００１５】
次に、図３を参照して、上述のような構成を備えた硬貨処理装置１０１の動作について説明する。図３は全体の動作を示すフローチャートであり、これらの動作は制御部１０２により実行される。
まず、入出金口１０３に硬貨が投入されると（Ｓ２０１）、搬送部１０８は、その分離搬送機構によって、投入された硬貨を1枚づつ分離して識別部１０７へ搬送する（Ｓ２０２）。識別部１０７は、その識別手段により、搬送されて来る硬貨が正常貨か偽造貨かどうかを識別する（Ｓ２０３）。このとき、同時に硬貨の金種も識別する。
【００１６】
制御部１０２は、識別枚数を計数するカウンタＡに＋１を加算する（Ｓ２０４）。識別部１０７の識別結果が正常貨でない場合は（Ｓ２０５：ＮＯ）、搬送部１０８は、分離搬送機構により、硬貨を返却保留部１０５へ搬送する（Ｓ２０６）。一方、識別部１０７の識別結果が正常貨である場合は（Ｓ２０６：ＹＥＳ）、搬送部１０８は、分離搬送機構により、硬貨を一時保留部１０４へ搬送する（Ｓ２０７）。そして、制御部１０２は、正常貨枚数を計数するカウンタＢに＋１を加算する（Ｓ２０８）。投入された全ての硬貨について識別が終了したか否かをチェックして（Ｓ２０９）、識別が終了してなければ（Ｓ２０９：ＮＯ）、Ｓ２０２にもどって、搬送部１０８が、分離搬送機構により、次の硬貨を識別部１０７へ搬送して上述したＳ２０２〜Ｓ２０９の処理を実行する。
【００１７】
全ての硬貨について識別が終了すると（Ｓ２０９：ＹＥＳ）、制御部１０２は、正常枚数カウンタＢ÷識別枚数カウンタＡによって受付率を算出する。そして、その受付率と予め設定した設定値Ａとを比較し（Ｓ２１０）、かつ識別枚数カウンタＡと予め設定した設定値Ｂとを比較する（Ｓ２１１）。これらの比較の結果、受付率が予め設定した設定値Ａを下回り（Ｓ２１０：ＹＥＳ）、かつ識別枚数カウンタＡが任意の設定値Ｂを上回っている場合（Ｓ２１１：ＹＥＳ）、制御部１０２は、悪意のある偽造貨が投入された取引である可能性が高いと判断して、搬送部１０８を駆動し、分離搬送機構により、返却保留部１０５にある硬貨と一時保留部１０４にある全ての硬貨を入出口１０３に搬送して、硬貨処理装置に投入された全ての硬貨の受付を拒否する（Ｓ２１２）。
【００１８】
一方、正常枚数カウンタＢ÷識別枚数カウンタＡによって算出された受付率が、任意の設定値Ａを上回り（Ｓ２１０：ＮＯ）または識別枚数カウンタＡが任意の設定値Ｂを下回った場合（Ｓ２１１：ＮＯ）、悪意のある偽造貨が投入された取引である可能性が低いと判断して、制御部１０２は、搬送部１０８を駆動して分離搬送機構により、一時保留部１０４にある硬貨を収納部１０６に搬送して正常貨として受け付ける（Ｓ２１３）。返却保留部１０５に硬貨が在れば、入出金口１０３に搬送して、受付を拒否する（Ｓ２１４）。
【００１９】
以上、本実施形態について説明したが、本発明は上記実施例に限定されずに種々変形して実施し得る、例えば、上述した実施例では、全金種合計での受付率と識別枚数を、悪意のある偽造貨が投入れた取引であるかどうかの判定条件にしているが、各金種毎の受付率と識別枚数を、悪意のある偽造貨が投入された取引であるかどうかの判定条件にしてもよい。
また、上述した実施例では、識別装置１０７で偽造貨と識別した硬貨を一旦返却保留部１０５へ搬送し、投入されたすべての硬貨が識別された後、入出金口１０３に搬送しているが、未識別の硬貨と混同されない分離搬送機構が実現されるのならば、直接入出金口１０３に搬送してもよい。
上述した実施形態では、１つの入出金口１０３で硬貨の投入口と返却口とを兼用しているが、投入口と返却口を別々に設けてもよい。
【００２０】
以上に説明したように、本実施例によれば、悪意のある偽造貨の投入がされた場合、当該取引おいて識別したすべての硬貨の識別結果に応じて特定される所定の条件に基づいて、悪意のある偽造貨の投入がされたかと判定し、硬貨処理装置に投入された硬貨全てを受付拒否するようにしているので、悪意のある偽造貨の排除性能を向上することが可能となる。
また通常運用で正常貨が投入された場合、当該取引において識別したすべての硬貨の識別結果に応じて特定される所定の条件に基づいて、通常運用での正常貨の投入がされたと判定し、識別結果が正常貨である場合それを受け付け、一方前記識別結果が偽造貨である場合受付拒否するようにしているので、通常運用での正常貨の受付性能の低下を防ぐことが可能となる。
【図面の簡単な説明】
【００２１】
【図１】一実施例による硬貨処理装置の側面図。
【図２】一実施例による硬貨処理装置の内部制御ブロック図。
【図３】一実施例による硬貨の取引処理フロー図。
【符号の説明】
【００２２】
１０１：硬貨処理装置、１０２：制御部、１０３：入出金口、１０４：一時保留部、１０５：返却保留部、１０６：収納部、１０７：識別部、１０８：搬送部、１１２：一括スタッカ部、１１３：硬貨カセット部
【図１】
2008134924.tif 000003
【図２】
2008134924.tif 000004
【図３】
2008134924.tif 000005